(57)【要約】  多入力多出力方式の無線通信システムの無線通信装置における技法は、推奨されているプリコーダに関する推奨プリコーダ情報を、第１の無線通信装置が第２の無線通信装置から受信すること（604）を含む。第１の無線通信装置は、推奨されているプリコーダ又は代替的なプリコーダに基づいて、プリコード信号を生成する。第１の無線通信装置は、推奨されているプリコーダ又は代替的なプリコーダが、プリコード信号を生成する際に使用されていることを示すインジケータを提供せずに、第１の無線通信装置は、プリコード信号を第２の無線通信装置に送信する（612）。
2010537495.tif 000002
【特許請求の範囲】
【請求項１】
多入力多出力方式の無線通信システムの無線通信装置における方法であって、
推奨されているプリコーダに関する推奨プリコーダ情報を、第１の無線通信装置が第２の無線通信装置から受信するステップと、
前記第１の無線通信装置が、推奨されているプリコーダ又は代替的なプリコーダに基づいて、プリコード信号を生成するステップと、
前記第１の無線通信装置が、前記プリコード信号を前記第２の無線通信装置に送信するステップと
を有し、前記第１の無線通信装置は、前記推奨されているプリコーダ又は前記代替的なプリコーダが、前記プリコード信号を生成する際に使用されていることを示すインジケータを提供しない、方法。
【請求項２】
前記代替的なプリコーダは、恒等行列に対応する、請求項１記載の方法。
【請求項３】
前記代替的なプリコーダは、前記第１の無線通信装置及び前記第２の無線通信装置の双方に既知の複数の代替的なプリコーダを含む、請求項１記載の方法。
【請求項４】
前記第２の無線通信装置からのフィードバックがエラーを含んで受信された場合、前記第１の無線通信装置は、前記代替的なプリコーダにより前記プリコード信号を生成する、請求項１記載の方法。
【請求項５】
前記第２の無線通信装置から受信した１つ以上の伝送信号に所定数のエラーが生じていた場合、前記第１の無線通信装置は、前記代替的なプリコーダにより前記プリコード信号を生成する、請求項４記載の方法。
【請求項６】
前記多入力多出力方式の無線通信システムが、シングルユーザ多入力多出力方式の無線通信システムであり、前記推奨プリコーダ情報がコードブックインデックスに対応する、請求項１記載の方法。
【請求項７】
前記コードブックインデックスに基づいて、コードブックから所望のプリコーディング用コードワードを選択するステップをさらに有する、請求項６記載の方法。
【請求項８】
前記推奨プリコーダ情報は、所望のプリコーディング用コードワードに対応する、請求項１記載の方法。
【請求項９】
前記多入力多出力方式の無線通信システムが、マルチユーザ多入力多出力方式の無線通信システムであり、前記推奨プリコーダ情報がチャネルベクトル量子化に関連している、請求項１記載の方法。
【請求項１０】
前記チャネルベクトル量子化に基づいて、複数のプリコーディング用コードワードの内の所望のプリコーディング用コードワードを、コードブックから選択する、請求項９記載の方法。
【請求項１１】
多入力多出力方式の無線通信システムの無線通信装置における方法であって、
プリコード信号を受信するステップと、
前記プリコード信号について仮説検定を行い、推奨したプリコーダ又は代替的なプリコーダが前記プリコード信号を生成する際に使用されていたことを判定するステップと
を有する方法。
【請求項１２】
前記多入力多出力方式の無線通信システムが、シングルユーザ多入力多出力方式の無線通信システムであり、前記仮説検定を行うステップが、
前記推奨したプリコーダにより前記プリコーディング信号をデコードするステップと、
前記代替的なプリコーダにより前記プリコーディング信号をデコードするステップと、
前記推奨したプリコーダ又は前記代替的なプリコーダが前記プリコード信号を生成する際に使用されていたことを、信号メトリックに基づいて判別するステップと
を有する請求項１１記載の方法。
【請求項１３】
前記信号メトリックが、信号対雑音比、又は信号対干渉及び雑音比に対応する、請求項１２記載の方法。
【請求項１４】
前記多入力多出力方式の無線通信システムが、マルチユーザ多入力多出力方式の無線通信システムであり、前記推奨したプリコーダは複数の推奨したプリコーダを含み、前記仮説検定を行うステップが、
前記代替的なプリコーダにより前記プリコーディング信号をデコードするステップと、
前記複数の推奨したプリコーダの各々により前記プリコーディング信号をデコードするステップと、
前記代替的なプリコーダ又は前記複数の推奨したプリコーダの何れかが、前記プリコード信号を生成する際に使用されていたことを、信号メトリックに基づいて判別するステップと
を有する請求項１１記載の方法。
【請求項１５】
前記信号メトリックが、信号対雑音比、又は信号対干渉及び雑音比に対応する、請求項１４記載の方法。
【請求項１６】
加入者局と、
該加入者局と通信する基地局と
を有する無線通信システムであって、前記基地局は、
推奨されているプリコーダに関する推奨プリコーダ情報を、前記加入者局から受信し、
推奨されているプリコーダ又は代替的なプリコーダに基づいて、プリコード信号を生成し、及び
前記プリコード信号を前記加入者局に送信し、
当該基地局は、前記推奨されているプリコーダ又は前記代替的なプリコーダが、前記プリコード信号を生成する際に使用されていることを示すインジケータを提供しない、無線通信システム。
【請求項１７】
当該無線通信システムが、シングルユーザ多入力多出力方式の無線通信システムであり、前記推奨プリコーダ情報がコードブックインデックス又は所望のプリコーダに対応する、請求項１６記載の無線通信システム。
【請求項１８】
当該無線通信システムが、マルチユーザ多入力多出力方式の無線通信システムであり、前記推奨プリコーダ情報がチャネルベクトル量子化に関連している、請求項１６記載の無線通信システム。
【請求項１９】
前記加入者局が、
前記プリコード信号を受信し、
前記プリコード信号について仮説検定を行い、推奨したプリコーダ又は代替的なプリコーダが前記プリコード信号を生成する際に使用されていたことを、信号メトリックに基づいて判定する、請求項１６記載の無線通信システム。
【請求項２０】
前記推奨したプリコーダは複数の推奨したプリコーダを含み、
前記加入者装置は、
前記代替的なプリコーダ又は前記複数の推奨したプリコーダの何れかが、前記プリコード信号を生成する際に使用されていたことを、信号メトリックに基づいて判別し、該信号メトリックは、信号対雑音比、又は信号対干渉及び雑音比に対応する、請求項１９記載の無線通信システム。
【発明の詳細な説明】
【技術分野】
【０００１】
本願は一般に無線通信システムにおけるオーバーヘッドを削減することに関連し、特に多入力多出力方式の無線通信システムにおけるプリコーディングオーバーヘッドを削減する技法に関する。
【背景技術】
【０００２】
今日、多入力多出力（MIMO:  Multiple-Input  Multiple-Output）方式のシステムが益々一般的になりつつあり、MIMOでは（実施形態に依存して）送信機における複数のアンテナ、及び１つの受信機における複数のアンテナ又は複数の受信機における１つ以上のアンテナを使用する。シングルユーザMIMOシステムは、送信機における複数のアンテナと受信機における複数のアンテナとを使用する。これに対して、マルチユーザMIMOシステムも、送信機における複数のアンテナを使用するが、複数の受信機の各々が（１つ以上のアンテナを有し）少なくとも１つの出力に対応し、その複数の受信機を空間的なリソースと考える。一般に、MIMO無線通信システムは、追加的な帯域幅も送信電力も必要とせずに、（非常に高いスペクトル効率に起因して）データスループットを向上させ、かつ（フェージングが小さいことに起因して）リンクの範囲を増進させる（この点、多入力一出力（MISO:  Multiple-Input  Single-Output）、一入力多出力（SIMO：  Single-Input  Multiple-Output）、一入力一出力（SISO：  Single-Input  Single-Output）等の方式と異なる。）。MIMO無線通信システムは、一般に、プリコーディング（Precoding）、空間多重（SM）、ダイバーシチコーディング、SMとプリコーディングの組み合わせ、SMとダイバーシチコーディングの組み合わせ等を使用する。
【０００３】
SMの場合（SMは、送信機においてチャネル状態情報（CSI:  Channel  State  Information）を使用してもしなくてもよい。）、オリジナル信号（送信する信号）は、低レートの複数のストリームに分割され、各ストリームは同じ周波数帯域で異なる送信アンテナから送信される。送信されたストリームが、十分に異なる空間的な特徴とともに受信機アンテナアレイに届くと、MOMO受信機は、伝送されてきたストリームを並列的なチャネルに容易に分離することができ、その並列的なチャネルは、仮に１つの高速ストリームとして送信された際のオリジナル信号と比較して、優れた信号対雑音比（SNR）を示す。
【０００４】
プリコーディングは、ビームフォーミングを使用してマルチレイヤ通信をサポートする。通常、プリコーディングは、CSIの知識（情報）を送信機において使用し、受信機の全てのアンテナにおける受信信号レベルを最大化しようとする。一般に、プリコーディングは、送信前に送信データに適用される変換（transformation）として定義され、通常は、信号対雑音比（SNR）のようなパフォーマンスメトリックを最大化するように通信をチャネルに整合させる。一般にプリコーディングは線形又は非線形な変換とすることができる。線形プリコーディングの場合、変換は、複数のアンテナにおける送信ベクトルシンボルに行列を適用することと等価である。一般に、適切なプリコーダ（precoder）を選択するために、ある種のチャネル情報が送信機で使用される。場合によっては、受信機は、チャネル又はプリコーダに関する情報を送信機にフィードバックする。コードブックを使用するプリコーディングはプリコーディングの特別な場合であり、その場合、好ましい又は推奨されるプリコーダが既知のプリコーダの集合（群又はセットであり、コードブックとして知られている）の中から選択され、その集合中のプリコーダ各々は或るインデックスに関連付けられており、フィードバック量を削減するため、そのインデックスが送信機にフィードバックされる。一般に、プリコーディングは、１つ又は複数のMOMOストリームを、１ユーザ（シングルユーザMIMOの場合）又は複数のユーザ（マルチユーザMIMOの場合）に送信する際に適用可能である。
【０００５】
プリコーディングされたパイロット信号又は制御ビットの形式でプリコーディング情報をBSからSSへフィードフォワードし（又は、フィードフォワードを予測し）、BSがMIMO送信の際にどのプリコーダを使用したかをSSに明示的に通知するMIMO無線通信システムは既知である。
【０００６】
プリコーディングは、直交周波数分割多重（OFDM）システムにおいて使用されてもよく、OFDMは、一般に、直交するチャネルを使用して比較的高いデータレートの無線通信をサポートし、煩雑な等化技術を使用せずに、フェージングやシンボル間干渉（ISI）に対する耐性を高める。一般に、OFDMシステムはデータをN個のストリームに分割し、それらのストリームは並列的に並んだサブキャリア周波数又はトーンにおいて互いに独立に変調される。サブキャリア間の周波数間隔は1/Tであり、ここでTはOFDMシンボルの持続期間である。各シンボルは、シンボル同士の直交性を維持するためにガードインターバル（又は、サイクリックプレフィックス）を含んでいる。通常、OFDMシステムは、逆離散フーリエ変換（IDFT）を使用することで、サンプリングされた（又は離散的な）複合的な時間領域信号を生成する。
【０００７】
第三世代パートナーシッププロジェクトのロングタームエボリューション（3GPP-LTE）及びIEEE802.16（ワイマックス（WiMAX）としても知られている）に準拠するアーキテクチャのような様々な無線ネットワークは、スケジューラを使用し（スケジューラは、サービングセルの基地局（BS）内にあってもよいし、BSに結合されていてもよい）、スケジューラは、チャネルの特徴から導出された情報を使用して、サービス対象のユーザ装置（加入者局(SSs)）に対するチャネル割り当てを決定する。3GTPP-LTEに準拠するシステムの場合、アップリンク及びダウンリンクにおける割り当てのようなチャネル割り当ては、ダウンリンク共有制御チャネル（物理ダウンリンク制御チャネル（PDCCH））を介してSSに与えられ、PDCCHは一般に１つ以上の制御チャネルシンボルを含む。１つ以上の制御チャネルシンボルは、通常、サービングセルのBSからダウンリンクのサブフレームの始めに送信される。一般に、１つ以上の制御チャネルシンボルを受信すると、SSの各々は（例えば、ブラインドサーチ処理を行って）、１つ以上の制御チャネルシンボルを捜し出し、関連するダウンリンク及びアップリンクの制御チャネルを特定し、各自のダウンリンク及びアップリンクの割り当てを特定する。
【０００８】
図１を参照するに、従来のマイモ（MIMO）無線通信システム100に関連する部分の機能ブロック図100が示されており、これは3GPP-LTEに準拠する。システム100は、シングルユーザMIMOモード又はマルチユーザMIMOモードで動作するように構築され、システム100は、加入者局（SS）142と通信する基地局（BS）102を含む。図示されているように、BS102は、スケジューラ104、BSプリコーダ（プリコーディングのコードワード（CW））のコードブック（CB）106、プリコーダセレクタ108、制御フィールド生成部110及び送信部112を含む。BSプリコーダCB106がSS  CB152（SS142の中に含まれている）と同一でない場合、BS102は、スケジューラ104に結合されたSS  CB116も使用する。図示されているように、スケジューラ104はSS142からフィードバック（FB）を受信し、FBは、SS142が選択した推奨されるプリコーダ（プリコーディングCW）に対応する。SS142からのFBは、CBインデックスに対応してもよく、CBインデックスは、例えば、SS  CBインデックスやチャネルベクトル量子化（CVQ）CBインデックスである。
【０００９】
FBがCBインデックスに対応する場合、（スケジューラ104が推奨プリコーダを無視することを決定しない限り）スケジューラ104はCBインデックスを使用し、適切なプリコーダをBSプリコーダCB106の中から選択する。選択されたプリコーダはスケジューラ104によりプリコーダセレクタ108に通知され、プリコーダセレクタは、選択されたプリコーダのCBインデックスを制御フィールド生成部110に与え、及び選択されたプリコーダを複数のアンテナ114を有する送信部112に与える。例えばSS142のダウンリンク制御チャネルのプロトコルに依存するフィールドの場所（ダウンリンク共有制御チャネルに含まれる）や、選択されたCBインデックスをSS142にフィードフォワード（FF）するダウンリンク共有制御チャネルの別の場所に、制御フィールド生成部110はCBインデックスを位置付ける。
【００１０】
SS142は、制御チャネルデコーダ144、プリコーディングCWデコーダ146、受信部148、チャネル推定部150、SS  CB152（チャネルベクトル量子化（CVQ）CB又はプリコーダCBを含んでもよい。）、及びプリコーダセレクタ154を含む。BSプリコーダCB106がSS  CB152と同一でない場合、SS142は、プリコーディングCWデコーダ146に結合されたBS  CB158を使用する。制御チャネルデコーダ144は、例えば、SS142の関連するダウンリンク制御チャネルをデコードし、CBインデックスを取り出し（これは、ダウンリンク共有制御チャネルでBS102からフィードフォワードされたものである。）、そのCBインデックスをプリコーディングCWデコーダ146に提供し、プリコーディングCWデコーダ146は、SS  CB152がプリコーダCBであるかCVQ  CBであるかによらずCBインデックスに基づいて、１つのCW（すなわち「W」）を受信部148に提供する。１つ以上のアンテナ156に結合されている受信部148は、プリコーディングCWを用いて受信信号を処理する。図示されているように、受信部148はチャネル推定部150に結合され、チャネル推定部150は受信信号のチャネル品質を推定し、チャネル推定値（すなわち、「H」）をプリコーダセレクタ154に提供し、それに応じてプリコーダセレクタ154は、推奨するプリコーダ（プリコーディングCW）又はCVQをSS  CB152から選択する。プリコーダセレクタ154は、割り当てられたアップリンク（UL）のプロトコルに依存した場所でFBをスケジューラ104に提供し（FBはCBインデックス形式でもよい）、推奨されるプリコーダを通知する。
【００１１】
図２を参照するに、プリコーディング情報をSS142にフィードフォワードする従来のプロセス200のフローチャートが示されており、このプロセスは、システム100がシングルユーザMIMOモードで構築されている場合にBS102において使用される。ブロック202においてプロセス200は始まり、この段階で制御はブロック204に移り、BS102が、推奨されるプリコーダのCBインデックスに対応するフィードバック（FB）をSS142から受信する。次に、判定ブロック206において、BS102は、推奨されているプリコーダを無視すべきか否かを判断する。ブロック206においてBS102がFBを無視することを決定した場合、制御はブロック208に移り、推奨されていなプリコーダがBS102により送信用に選択される。ブロック206において、FBを無視すべきでないと判断した場合、制御はブロック210に移り、推奨されているプリコーダが送信用に選択される。ブロック208、210に続いて、制御はブロック212に移り、プリコーディング情報が、BS102からSS142への送信の際に（制御ビット形式で又はプリコーディングされたパイロット信号の形式で）フィードフォワードされる。ブロック212に続いて、制御はブロック214に移り、制御は、（本サブルーチンを呼び出した）呼び出しルーチンに戻る。
【００１２】
図３を参照するに、プリコーディング情報をSS142にフィードフォワードする従来の別のプロセス300のフローチャートが示されており、このプロセスはシステム100がマルチユーザMIMOモードで構築されている場合にBS102において使用される。ブロック302においてプロセスは始まり、この段階で制御はブロック304に移り、BS102は、CVQ  CBインデックスに対応するフィードバック（FB）をSS142から受信する。次に、判定ブロック306において、BS102は、SS142が提供したFBを無視するか否かを判断する。BS102がFBを無視することを決定した場合、制御はブロック306からブロック308に移る。ブロック308では、推奨されていないプリコーダが、BS102により送信用に（BSプリコーダCB196の中から）選択される。ブロック306においてBS102がFBを無視しないことを決定した場合、制御はブロック310に移り、BS102は、CVQ  CBインデックスを使用して、プリコーダの部分集合の中から（部分集合は、システムコンフィギュレーションに依存して１つ以上のプリコーダを含む。）、CVQ  CBインデックスにより指定されているプリコーダを送信用に選択する。ブロック308及び310に続いて、制御はブロック312に移り、プリコーディング情報が、BS102からSS142への送信の際に（制御ビット形式で又はプリコーディングされたパイロット信号の形式で）フィードフォワードされる。ブロック312に続いて、制御はブロック314に移り、制御は呼び出しルーチンに戻る。
【００１３】
図４を参照するに、BS102からフィードフォワードされたプリコーディング情報を受信する従来の別のプロセス400のフローチャートが示されており、このプロセスは、システム100がシングルユーザ又はマルチユーザMIMOモードで構築されている場合にSS142において使用される。ブロック402においてプロセス400は始まり、この段階で制御はブロック404に移り、SS142はBS102からの送信信号を受信する。次に、ブロック406において、SS142は、送信信号に含まれているCBインデックスに基づいて、その送信に関連するプリコーダをCBの中で特定する。そして、ブロック408において、特定されたプリコーダとともに送信信号がデコードされる。ブロック408に続いて制御はブロック410に移り、制御は呼び出しルーチンに戻る。
【００１４】
上記の技法の場合、マイモ（MIMO）送信のプリコーディング情報（すなわち、プリコーディングコードワードのインデックス）は、サービングセルのBSからSSへ明示的にフィードフォワード（FF）され、送信に使用されたプリコーダをSSに通知している。この場合において、そのプリコーディング情報は、SSが推奨したプリコーディング情報と比較され、推奨したプリコーダが使用されているか否かをSSにより判定する。この方法は、サービングセルのBSが送信信号をプリコーディングする際にどのプリコーディングCWを使用しているかを確実に通知するが、割り当てられるMIMOのリソースブロック（RB）各々に多数のビットが割り当てられるので（例えば、リソースブロック（RB）に割り当てられるSSの数に依存して例えば３ないし５ビットが割り当てられる）、プリコーディング情報をBSからSSにフィードフォワードするにはコストがかかる。例えばMIMO  RB各々についてビット数を１ビットに削減したとしても（その１ビットは、推奨されたプリコーダがRBについて使用されているか否かを示すのに使用されている。）、MIMO  RB数が比較的多い場合、MIMO  RB各々について１ビットをフィードフォワードすることは、許容できないほど多くのプリコーディングオーバーヘッドとなってしまう。
【発明の概要】
【発明が解決しようとする課題】
【００１５】
本発明の課題は、MIMO無線通信システムにおけるプリコーディングオーバーヘッドを削減することである。
【課題を解決するための手段】
【００１６】
本開示による方法は、
多入力多出力方式の無線通信システムの無線通信装置における方法であって、
推奨されているプリコーダに関する推奨プリコーダ情報を、第１の無線通信装置が第２の無線通信装置から受信するステップと、
前記第１の無線通信装置が、推奨されているプリコーダ又は代替的なプリコーダに基づいて、プリコード信号を生成するステップと、
前記第１の無線通信装置が、前記プリコード信号を前記第２の無線通信装置に送信するステップと
を有し、前記第１の無線通信装置は、前記推奨されているプリコーダ又は前記代替的なプリコーダが、前記プリコード信号を生成する際に使用されていることを示すインジケータを提供しない、方法である。
【図面の簡単な説明】
【００１７】
【図１】基地局（BS）から加入者局（SS）へプリコーディング情報をフィードフォワードする従来のMIMO無線通信システムに関する部分の例示的な機能ブロック図100。
【図２】SSにプリコーディング情報をフィードフォワードするシングルユーザMIMO無線通信システムのBSにおいて使用される従来のプロセスを示すフローチャート。
【図３】SSにプリコーディング情報をフィードフォワードするシングルユーザMIMO無線通信システムのBSにおいて使用される従来のプロセスを示すフローチャート。
【図４】シングルユーザ又はマルチユーザMIMO無線通信システムのSSにおいて使用される従来のプロセスを示すフローチャート（SSは、サービングセルのBSが使用した送信プリコーダを、BSからフィードフォワードされたプリコーディング情報により同定する。）。
【図５】本開示による様々な形態により構築されるMIMO無線通信システムの関連部分の例示的な機能ブロック図（本システムは、BSからサービス対象SSへプリコーディング情報をフィードフォワードしない。）。
【図６】本開示の一形態により構築されたシングルユーザMIMO無線通信システムのBSにおいて使用されるプロセス例のフローチャート（本システムは、サービス対象SSにプリコーディング情報をフィードフォワードしない。）。
【図７】本開示の別の形態により構築されたシングルユーザMIMO無線通信システムのSSにおいて使用されるプロセス例のフローチャート（SSは、フィードフォワードプリコーディング情報をサービングBSから受信せずに、サービングBSが使用したプリコーダを特定する。）。
【図８】本開示の一形態により構築されたマルチユーザMIMO無線通信システムのBSにおいて使用されるプロセス例のフローチャート（本システムは、サービス対象SSにプリコーディング情報をフィードフォワードしない。）。
【図９】本開示の別の形態により構築されたマルチユーザMIMO無線通信システムのSSにおいて使用されるプロセス例のフローチャート（SSは、フィードフォワードプリコーディング情報をサービングBSから受信せずに、サービングBSが使用したプリコーダを特定する。）。
【図１０】BSからSSへプリコーディング情報をフィードフォワードせずに動作するMIMO無線通信システム例のブロック図。
【発明を実施するための形態】
【００１８】
以下、実施例により本発明を説明する。本発明が添付図面により限定されることは意図されておらず、図中、同様の参照番号は同様の要素を示す。図中の要素は簡明化を図るように描かれており、必ずしも寸法を描いているわけではない。
【００１９】
本発明の実施例に関する以下の詳細な説明において、本発明を使用する特手の実施例は、当業者が本発明を実施できる程度に充分に詳細に説明されており、他の実施例が使用されてもよいことや、論理、アーキテクチャ、プログラム、機構、電気回路及びその他に関する変形が、本発明の精神や目的から逸脱せずになされてもよいことは、理解されるであろう。したがって、以下の詳細な説明は、限定的な意味にとられるべきでなく、本発明の範囲は添付の特許請求の範囲及び均等物によってのみ規定される。特に、セルラハンドセットのような加入者局に関連して様々な実施例が説明されているが、本発明はそれに限定されないこと、及び本発明は様々な装置（例えば、パーソナルディジタルアシスタント（PDA）、ディジタルカメラ、ポータブルストレージデバイス、オーディオプレーヤ、コンピュータシステム、ポータブルゲーム機器等）に組み込まれてもよいことが、理解されるであろう。
【００２０】
本願で使用されているように、「ユーザ装置」という用語は「加入者局」という用語と同義であり、無線通信システムに関連する無線装置を広く一般的に指すために使用される。本願で使用されているように、「制御チャネルシンボル」という用語は、チャネルを占有するシンボルを含み、システム帯域幅全体又はシステム帯域幅の一部分を占めてもよい。本願で使用されている「チャネル」という用語は、１つ以上のサブキャリア（隣接していてもいなくてもよい）を含む。本願で使用されているように、「スロット」という用語は、複数のアクセス信号におけるシンボル位置に関連する。「ブラインドサーチプロシジャ（blind  search  procedure）」という用語は、サーチャー（例えば、加入者局（SS））が、一連のアイテムの中から探し出すアイテムの場所情報を事前に一切知らない探索処理に関する。例えば、付随する（関連する）制御チャネルの１つ以上の制御チャネルシンボル（ダウンリンク共有制御チャネルのシンボル）を探す場合において、ブラインドサーチプロシジャが使用される場合、SSは、１つ以上の制御チャネルシンボルに関する制御チャネルの場所について予備知識を一切持っていない。
【００２１】
本開示による１つ以上の実施例により構築される一般的なMIMO無線通信システムにおいて、サービングBSに関連するスケジューラ（例えば、図１０の基地局コントローラ（BSC）1012に含まれているようなネットワークスケジューラ）又は図10のベース送受信局（BTS）1014にも受けられているスケジューラ1014は、制御チャネルフォーマットインジケータ（CCFI）をダウンリンク共有制御チャネル（物理ダウンリンク制御チャネル（PDCCH））に含めるようにスケジューリングし、そのダウンリンク共有制御チャネルのサイズ（例えば、シンボル数）を通知するように構築される。例えば、ダウンリンク共有制御チャネルで高々３シンボルを送信してよいMIMO無線通信システムの場合、CCFIは２ビットを含み、プロトコルに依存した場所でダウンリンク共有制御チャネルの第１シンボルにおいて12回反復される。制御チャネルシンボルは、例えば、直交周波数分割（OFDM）信号でもよい。（ダウンリンク共有制御チャネルに含まれる）SSに関連する制御チャネルは、様々な制御情報をSSに与える１つ以上の制御チャネルエレメントを含む。関連する制御チャネルは、ダウンリンク制御チャネル、アップリンク制御チャネル又はアップリンク及びダウンリンクの割当情報の双方を含む組み合わせられた制御チャネルでもよい。
【００２２】
一般的なMIMO無線通信システムの場合、ダウンリンク（DL）共有制御チャネルはDLサブフレームの始めに位置しており、DLサブフレームは、複数のDL共有制御チャネルシンボル（例えば、１つ、２つ又は３つのチャネルシンボル）と、複数のデータシンボルを含む。制御チャネルシンボルは、典型的には、多数の制御チャネルエレメント（CCE）を含み、CCEの各々は複数のサブキャリア（例えば、６つのサブキャリア）を含む。同様にデータシンボルの各々は複数のリソースブロック（RB）を含み、RBの各々は例えば12個のサブキャリアを含む。CE及びRBは同じサイズでもよいし、異なるサイズでもよいことが、理解されるべきである。本願により開示される技法は様々なサイズのDLサブフレームに広く適用可能であること、及び制御チャネルシンボルは整数値に仮定されてもよいし、小数値を含んでもよいことが、理解されるべきである。例えば、関連するDL制御チャネル内のプロトコルに依存するフィールドに含まれている固有の識別子（例えば、固有の16ビットの識別子）が、（例えば、ネットワーク管理者により）SSに割り当てられている固有の識別子に対応していた場合、関連するDL制御チャネルはSSにより同定される。SSはSS識別子（ID）を使用して、どのRBがSSに割り当てられているかを、例えばSS固有RBマップ又は共有RBマッピングチャネルにより与えられるRBマップの情報を利用して判別する。
【００２３】
一般的な無線通信システムの場合、使用されるRB数はシステムの帯域幅に基づく。例えば、20MHzの帯域幅を有する無線通信システムの場合、100個のRBが使用されてもよい（20MHz帯域幅は、RBが12個のサブキャリアを含むように規定されているシステムにおいて、120個のサブキャリアに対応する。）。別の例として、10MHzの帯域幅を有する無線通信システムの場合、50個のRBが使用されてもよい。さらに別の例として、5MHzの帯域幅を有する無線通信システムの場合、25個のRBが使用されてもよい。通常の実施形態の場合、SSは、RBマップにおける１つ以上のエントリを読み取り、そのSSがダウンリンク情報を関連するRBで受信することになっているか否かを確認する。
【００２４】
一般的な無線通信システムの場合、スケジューラがサービス対象とするSS各々について、スケジューラは、関連するDL制御チャネルをスケジューリングするように構築される。スケジューラは、DL共有制御チャネルの中で共有RBマッピングチャネルをスケジューリングするように構築される。この場合、共有RBマッピングチャネルに関し、システム帯域幅に基づいてサイズが決められ、共有RBマッピングチャネルは、RBマップを含み、そのRBマップは、サービス対象のSS全体が関連するDL  RBを特定するのに使用される。上記の例の場合、SSの各々は共有DL制御チャネルを受信し、CCFIをデコードし、共有DL制御チャネルのサーチプロシジャ（例えば、ブラインドサーチプロシジャ）により候補セット（すなわち、サーチされる必要があるシンボル数）を決定する。各SSは、候補セットの中で関連する制御チャネルを検出するよう構築されてもよいし（例えば、SSに関連付けられている固有の識別子により特定される）、各SSは、関連する制御チャネルから関連するSS識別子（ID）を検出するように構築されてもよい。また、各SSは、（共有RBマッピングチャネルに含まれている）RBマップに関連するSSIDを利用して、１つ以上の関連するRBを検出するように構築されてもよい。あるいは、SS固有のRBマップが、SSに関連する制御チャネル内に含まれていてもよい。
【００２５】
SSに関連するDL制御チャネルの各々は、例えばプロトコルに依存するフィールドのような付加的な情報を含んでもよいことが、理解されるべきである。例えば、付加的な情報は、ハイブリッド自動再送要求（HARQ）フィールド、MIMOフィールド等のフィールドを含んでいてもよい。あるいは、MIMO情報は共有MIMOチャネルによりSSに与えられてもよい。本開示による様々な形態に応じて構築される無線通信システム内で使用される送信機は、どの変調方式でスケジューリングされるかに依存して、位相シフトキーイング（PSK）、直交振幅変調（QAM）又は他のデータ変調方式を利用して、情報を送信する。例えば、PSK（例えば、π／2BPSK、QPSK及び8PSK等）やQAM（例えば、16QAM及び64QAM等）のような様々な変調方式の何れが使用されてもよい。
【００２６】
スケジューリングオーバーヘッドを削減するため、共有MIMO制御チャネルが使用されてもよい。この場合、共有MIMO制御チャネルにおけるエントリは、伝送チャネルの各RBに関連付けられており、所定のインデックスのシーケンスで並んでいる。あるいは、共有MIMO制御チャネルのエントリは、共有リソースブロック（RB）マッピングチャネルのエントリに関連付けられていてもよい。SSは、関連する制御チャネルを先ずデコードし、RB割り当て及び非MIMO関連制御情報を確認するように構築されてもよい。この場合、SSはRB割り当てを使用して、割り当てられたRB各々に関するMIMO制御情報固有のRBをデコードする。各RBに関するMIMO制御情報（例えば、割り当てられたレイヤ情報、送信ランク情報等）は、共有MIMO制御チャネルにエンコードされてもよく、そのシーケンスは、所定のインデックスシーケンスに対応していてもよいし、共有RBマッピングチャネルにより与えられるRBマップにおいて使用されているシーケンスに対応していてもよい。MIMO制御情報が、所定のインデックスシーケンス又はRBマップシーケンスにしたがってマッピングされている場合（対応付けられている場合）、SSにMIMO制御情報を与えるのに必要なビット数は大幅に削減できる。MIMOモードを使用しないRBの場合（例えば、SIMOモードが使用されてプリコーディングされていない場合のRB）、あるインジケータがRBマップで伝送され、関連するRBはMIMOのRBではないことを示す。
【００２７】
本開示による様々な形態により、MIMO無線通信システムにおけるプリコーディングオーバーヘッドを削減する幾つもの技法が本願で説明されている。本開示による様々な形態により、プリコーディングマトリックスのフィードフォワードオーバーヘッドは、基地局（BS）（又はより一般的には送信機）が使用可能なプリコーディングマトリックスの選択肢を制限することで、削減される。SSが推奨するプリコードを無視することをBSが決定した場合、或いは（推奨するプリコーダを含む）SSからのフィードバックがエラーを含んで受信された場合（その場合、BSは推奨のプリコーダが分からない。）、BSは代替的なプリコーダ（これは、恒等行列でもよい）又はSSにとって既知の複数のプリコーダの内の何れかを使用する。BSがSSからのフィードバックを無視しない場合、開示される本技法は、SSの複雑化及びパフォーマンス劣化のおそれを犠牲にして、フィードフォワードするプリコーディング情報の如何なる下りオーバーヘッドの必要性も排除する。一般に、BSが推奨されたプリコーダを無視する場合、パフォーマンスの劣化は大きい。本願における議論は、BSにおける送信機とSSにおける受信機間の通信を意図しているが、本願における議論は、送信機及び受信機の位置によらず、受信機及び送信機間の通信に広く適用可能なことが想定されている。
【００２８】
BSは推奨されているプリコーダを頻繁には無視しないので、パフォーマンス劣化は相対的に小さい。一般に、無視する仕組みはBS及びSSの双方にとって（事前に）既知であり、したがってフィードフォワードシグナリングは黙示的である。この技法によれば、BSは、（推奨プリコーダを）無視した場合、代替的なプリコーダによりMIMOデータストリームを送信する。一般に、MIMO制御情報（又は指定された制御情報）をデコードし、代替的なプリコーダとともに無視の可能性を想定しながら送信プリコーダを検出するように、各SSは構築されてもよい。そして、送信信号のデコーダが使用され、割り当てられたプリコードパケット（例えば、RB）をデコードする。代替的なプリコーダ、複数の代替的なプリコーダ及び推奨されるプリコーダは、送信機及び受信機にとって事前に既知であることに留意を要する。  
繰り返し言及するに、開示される技法は、BSからSSへ、より広く一般的には送信機から受信機へプリコード情報をフィードフォワードしないことによって、プリコーディングオーバーヘッドを削減する。BSからSSへプリコード情報を通知する既存の技法に比較して、開示される本技法は、SSの複雑化を僅かに犠牲にするだけで、MIMOプリコードパケット各々につき少なくとも１ビットだけプリコードオーバーヘッドを削減できる。一般に、複雑さが増すのは、サービングBSが送信プリコーディングに使用しているかもしれない複数の既知のプリコーダの仮説検定（hypothesis  testing）に起因する。１つ以上の実施形態において、代替的なプリコーダは恒等行列の形式をとり、これはオープンループシステムと等価であり、その場合、サービングBSは（推奨されるプリコーダに関して）如何なるフィードバックもサービス対象SSから受信していない。
【００２９】
本開示による一形態によれば、MIMO無線通信システムにおける無線通信装置の動作技法は、第１の無線通信装置が、推奨されるプリコーダに関する推奨プリコーダ情報を第２の無線通信装置から受信することを含む。プリコードされる信号は、第１無線通信装置において、推奨されたプリコーダ又は代替的なプリコーダに基づいて形成される。第１の無線通信装置は、推奨されたプリコーダ又は代替的なプリコーダが使用されているかどうかのインジケータを提供せずに、プリコードされた信号を形成するように構築され、該第１の無線通信装置は、プリコードされた信号を送信する。
【００３０】
本開示による別の形態によれば、MIMO無線通信システムにおける無線通信装置の動作技法は、プリコードされた信号を受信することを含む。本技法は、プリコードされた信号を仮説検定することで、プリコードされた信号が形成される際、推奨したプリコーダ又は代替的なプリコーダが使用されたかどうかを判定する。
【００３１】
本開示による別の形態によれば、無線通信システムは、加入者局（SS）及びSSと通信する基地局（BS）を含む。BSは、推奨されているプリコーダに関する推奨プリコード情報をSSから受信するよう構築される。BSは、推奨されたプリコーダ又は代替的なプリコーダに基づいて、プリコードされた信号を形成するように構築される。プリコードされた信号を形成する際、推奨されているプリコーダ又は代替的なプリコーダが使用されたかどうかを示すインジケータを与えずに、プリコードされた信号を送信するように、BSは構築されてもよい。
【実施例１】
【００３２】
図５を参照するに、本開示により構築されるMIMO無線通信システム500の関連部分の機能ブロック図が示されている。本システム500は、シングルユーザMIMOモードでもマルチユーザMIMOモードでも動作するように構築されており、加入者局（SS）542と通信する基地局（BS）を含む。図示されているように、BS502は、スケジューラ504、BSプリコーダコードブック（CB）506（CBは、複数のプリコーディングコードワード（CW）を含む。）、プリコーダセレクタ508、及び複数のアンテナ514（例えば、２ないし４本のアンテナ）を有する送信部512を有する。BSプリコーダCB506及びSS  CB552が異なる場合、BS502は、スケジューラ504に結合されたSS  CB516（これは、SS542内のSS  CB552に対応する。）を使用してもよい。一実施例（例えば、シングルユーザMIMOモード）では、SS  CB552及びBSプリコーダCB506は等しい。別の実施例（例えば、マルチユーザMIMOモード）では、SS  CB552及びBSプリコーダCB506は同一ではなく、（BSプリコーダCB506に対応する）BSプリコーダCB558がSS542の中で使用されてもよい。何れの場合でも、SS542からスケジューラ504へのフィードバック（FB）は、１つのプリコーダ又は複数のプリコーダに対応する。
【００３３】
（スケジューラ504が、推奨されているプリコーダを無視することを決定しない限り）、スケジューラ504は、FBを使用して適切なCWを選択し、そのCWは、例えば、１つ以上のルックアップテーブル内にあってもよい。選択されたプリコーダは、スケジューラ504からプリコーダセレクタ508を介して送信部512に通知される。送信部512は、選択されたプリコーダを使用して、SS542に送信する１つ以上のMIMOストリームをエンコードする。SS542に対するRBの割り当ては、ダウンリンク共有制御チャネルにより与えられ、ダウンリンク共有制御チャネルは他の制御信号を含んでいてもよい。
【００３４】
SS542は、プリコーダ仮説検定部546、受信部548（例えば、最小二乗平均誤差（MMSE）受信部）、チャネル推定部550、SS  CB552（これは、チャネルベクトル量子化（CVQ）CB又はプリコーダCBを含んでもよい。）、及びプリコーダセレクタ554を含む。BS502及びSS542内のCB（506及び552）が異なる場合、SS542は、プリコーダ仮説検定部546に結合されているBSプリコーダCB558（これは、実装される場合は、BSプリコーダCB506に対応する。）を使用してもよい。使用される場合、CVQ  CBは、ベクトルのコードブックに対応し、ベクトルチャネルはそのベクトルに量子化可能である。CVQフィードバックの場合、SSはCVQ  CBにしたがって等価的なベクトルチャネルを量子化し、BSへのフィードバックが、BS及びSS間のチャネルに関する情報をもたらすようにする。例えば、推奨したプリコーダ及び代替的なプリコーダの双方を使用して、受信信号中の指定された部分の信号メトリック（信号パフォーマンスメトリック）を判定することで、プリコーダ仮説検定部546は、推奨したプリコーダ又は（BS502及びSS542にとって既知の）代替的なプリコーダが、受信した送信信号をエンコードする際に使用されているか否かを判定する。信号メトリックは、例えば、信号対雑音比（SNR）又は信号対干渉及び雑音比（SINR）でもよい。この場合、どちらのプリコーダがBS502により使用されていたかは、どちらのプリコーダに関するSNR又はSINRがより高い値を有するかよって示される。既知のプリコーダの中でどのプリコーダが使用されていたかを判別するために、他の信号メトリックが使用されてもよいことは、本願で想定されている。
【００３５】
１つ以上のアンテナ556（例えば、１ないし４本のアンテナ）に結合されている受信部548は、関連する受信したプリコードパケットを処理する。図示されているように、受信部548はチャネル推定部550に結合され、チャネル推定部は、受信信号のチャネル品質を推定し、チャネル又はサブチャネルの推定値をプリコーダセレクタ554に通知し、それに応じてプリコーダセレクタはCB552の中から推奨するプリコーダを選択する。プリコーダセレクタ554は、例えば割り当てられたアップリンク（UL）におけるプロトコルに依存する場所を使用して、プリコーディング情報（これは、CBインデックスの形式でもよい。）を（BS502の）スケジューラ504にフィードバックし、推奨するプリコーダを通知する。スケジューラ504は複数のBSのためにスケジューリングを行ってもよく、その場合、スケジューラ504は、１つのBSとは独立したネットワークスケジューラの形式をとってもよい。
【００３６】
図６を参照するに、シングルユーザMIMO無線通信システムの送信部において使用されるプロセス600のフローチャートが示されている。従来のプロセスとは異なり、プロセス600は受信機へプリコーディング情報をフィードフォワードしない。理解を促すため、図６ないし９のプロセスは図５のシステム500に関連付けて説明される。ブロック602においてプロセス600は始まり、この段階において制御はブロック604に移り、推奨されているプリコーダのCBインデックスに対応するフィードバック（FB）を、BS502がSS542から受信する。通常の場合、SS542は、チャネル推定を行って、推奨するプリコーダを選択している。次に、判定ブロック606において、BS502は、推奨されているプリコーダを無視するか否かを決める。例えば、BS502及びSS542間のチャネル品質が、所定の時間期間の間に所与の数のエラーを含んでいた場合（例えば、エラーは否定応答（NACK）により示される）、或いは（推奨プリコーダ情報を含んでいる）SS542からのアップリンク伝送に対する巡回冗長検査（CRC）がエラーを示している場合、BS502は推奨されているプリコーダを無視する。
【００３７】
ブロック606において、BS502がFBを無視することを決定した場合、制御はブロック608に移り、プリコードされたパケットの送信を行うために、（SS542にとって既知の）代替的なプリコーダが（例えば、BSプリコーダCB506の中から）BS502により選択される。ブロック606において、BS502がFBを無視しないことを決定した場合、制御はブロック610に移り、割当部分の送信用に、推奨されているプリコーダが選択される。ブロック608及び610に続いて、制御はブロック612に移り、BS502はプリコードされた信号をDLサブフレームによりSS542に送信する。ブロック612に続いて、制御はブロック614に移り、制御は呼び出しルーチンに戻る。
【００３８】
図７を参照するに、シングルユーザMIMOモードに構築された無線通信システムのSSにおいて使用されるプロセス700のフローチャートが示されている。このプロセス700を実行する際、SS542は、BS502からのフィードフォワード（FF）によるプリコーディング情報を受信も使用もしない。ブロック702において、プロセス700は始まり、この段階において制御はブロック704に移り、SS542はBS502からの送信信号を受信する。次に、判定ブロック706において、SS542は、送信信号の選択された部分（例えば、MIMO情報の部分）について仮説検定を実行し、送信信号の選択されたその部分に使用されているプリコーダを特定し、BSへのFBが無視されているか否かを判定する。上述したように、特定されるプリコーダは、より高い信号メトリックをもたらすプリコーダに対応する。特定されたプリコーダが代替的なプリコーダに対応する場合、制御はブロック706からブロック708に移る。ブロック708では、受信した送信パケットが代替的なプリコーダによりデコードされる（代替的なプリコーダは、恒等行列に対応してもよい。）。特定されたプリコーダが、推奨したプリコーダに対応する場合、制御はブロック706からブロック710に移る。ブロック710では、送信パケットが推奨したプリコーダによりデコードされる。ブロック708及び710に続いて、制御はブロック712に移り、制御は呼び出しルーチンに戻る。
【００３９】
図８を参照するに、マルチユーザMIMO無線通信システムのBSにおいて使用される一実施例によるプロセス800のフローチャートが示されている。プロセス800は、プロセス600と同様に、プリコード情報をSS542にフィードフォワードしない。ブロック802においてプロセス800は始まり、この段階において制御はブロック804に移り、BS502は、CVQ  CBインデックスに対応するフィードバック（FB）をSS542から受信する。通常の場合、SS542は、チャネルを推定し、推奨するCVQ  CBインデックスを決定している。次に、判定ブロック806において、BS502は、SS542から提供されたFBを無視するか否かを決定する。例えば、BS502及びSS542間のチャネル品質が、所定の時間期間の間に所与の数のエラーを含んでいた場合（例えば、エラーは否定応答（NACK）により示される）、或いは（CVQ  CBを含んでいる）SS542からのアップリンク伝送に対する巡回冗長検査（CRC）がエラーを示している場合、BS502はCVQ  CBインデックスを無視する。
【００４０】
ブロック806において、BS502がFBを無視することを決定した場合、制御はブロック808に移る。ブロック808では、送信を行うために、代替的なプリコーダが（例えば、BSプリコーダCB506の中から）BS502により選択される。ブロック806において、BS502がFBを無視しないことを決定した場合、制御はブロック810に移り、BS502はそのCVQ  CBインデックスを使用して、プリコーダの部分集合の中から、CVQ  CBインデックスにより指定されているプリコーダを送信用に選択する（プリコーダの部分集合は、システムコンフィギュレーションに依存して１つ以上のプリコーダを含んでよい。）。ブロック808及び810に続いて、制御はブロック812に移り、プリコードされた信号がBS502からSS542に送信される。次に、制御はブロック812からブロック814に移り、制御は呼び出しルーチンに戻る。
【００４１】
図９を参照するに、システム500が、マルチユーザMIMOモードに構築されている一実施例の場合において、SSにおいて使用されるプロセス900のフローチャートが示されている。図７のプロセス700と同様に、プロセス900は、BS502からのフィードフォワードによるプリコーディング情報を受信しない。ブロック902において、プロセス900は始まり、この段階において制御はブロック904に移り、SS542はBS502からの送信信号を受信する。次に、判定ブロック906において、SS542は、送信信号の適切な部分について例えば仮説検定を実行し、送信信号に関連するプリコーダを特定する。代替的なプリコーダがBS502により使用されていることを仮説検定が示していた場合、制御はブロック908に移り、代替的なプリコーダにより送信信号がデコードされる。プリコーダを選択数BS502がFBを使用していたことを仮説検定が示していた場合、その仮説検定（結果）を使用して、プリコーダの部分集合中のどのプリコーダがプリコーディングに使用されていたかを特定する。最良の信号メトリックを伴う特定されたプリコーダが、以後、送信信号中の関連するプリコードパケットをデコードするのに使用される。ブロック908及び910に続いて、制御はブロック912に移り、制御は呼び出しルーチンに戻る。
【００４２】
BSは、推奨されているプリコーダを頻繁には無視しないことに起因して、如何なるパフォーマンス劣化も通常は比較的小さい。一般に、無視する仕組みはBS及びSSの双方にとって（事前に）既知であり、したがってフィードフォワードによる通知は黙示的である。この方法によれば、BSは、無視する場合、マルチユーザMIMOデータストリームを代替的なプリコーダにより送信する。一般に、各SSは、MIMO制御情報（又は他の指定されている制御情報）をデコードするように構築されている。SSは、無視の可能性を想定しながら、代替的なプリコーダとともに送信プリコーダを検出する。送信信号のデコーダは、割り当てられたRBをデコードするのに使用される。代替的なプリコーダ、推奨されるプリコーダ又は複数の推奨されるプリコーダは、送信機及び受信機の双方にとって既知であることが理解されるべきである。
【００４３】
繰り返し言及するに、開示される技法は、BSからSSへ、より広く一般的には送信機から受信機へプリコード情報をフィードフォワードしないことによって、プリコーディングオーバーヘッドを削減する。BSからSSへプリコード情報を通知する既存の技法に比較して、開示される本技法は、SSの複雑化を僅かに犠牲にするだけで、MIMOプリコードパケット（例えば、１つのMIMO  RB又は一群のMIMO  RB）の各々につき少なくとも１ビットだけプリコードオーバーヘッドを削減できる。一般に、複雑さが増すのは、サービングBSが送信プリコーディングに使用しているかもしれない複数の既知のプリコーダ（例えば、推奨されるプリコーダ及び代替的なプリコーダに関する複数のプリコーダ）の仮説検定（hypothesis  testing）に起因する。１つ以上の実施形態において、代替的なプリコーダは恒等行列の形式をとり、これはオープンループシステムと等価であり、その場合、サービングBSは（推奨されるプリコーダに関して）如何なるフィードバックもサービス対象SSから受信していない。
【００４４】
図１０を参照するに、例示的な無線通信システム1000が示されており、本システムは、携帯用コンピュータ、パーソナルディジタルアシスタント（PDA）、セルラ電話等のような無線装置（加入者局）を複数個含み、その無線装置は、本開示にしたがって、仮説検定を行い、割り当てられたリソースブロック（RB）をエンコードする際に送信機が使用したプリコーダを特定する。一般に、無線装置1002は、図10には示されていない他の要素に加えて、ソフトウエアシステムを使用するプロセッサ1008（例えば、ディジタル信号プロセッサ（DSP））、トランシーバ1006、１つ以上の入力／出力装置1004（例えば、カメラ、キーパッド、ディスプレイ等）等を含む。
【００４５】
上述したように、本開示による様々な実施形態において、本技法は、無線装置1002のような無線通信装置のプリコーディングパケット（例えば、RB）に関連するプリコーディングオーバーヘッドを削減するために使用される。無線装置1002は、１つ以上のベーストランシーバステーション（BTS）1014を介して基地局サブシステム（BSS）1010内の基地局コントローラ（BSC）1012と通信し、音声、データ又は音声及びデータの双方を受信又は送信する。BSC1002は、例えば、無線装置1002の通信をスケジューリングするように構築されてもよい。代替的に、BTS1014と通信する無線装置1002の通信を、BTS1014がスケジューリングしてもよい。何れの場合でも、スケジューラは、通常、（ソフトウエアシステムを使用する）１つ以上のプロセッサを使用して通信をスケジューリングする。
【００４６】
BSC1012は、パケット制御ユニット（PCU）1016とも通信し、PCUは、サービングゼネラルパケット無線サービス（GPRS）のサポートノード（SGSN）1022と通信する。SGSN1022はゲートウェイGPRSサポートノード（GGSN）1024と通信し、これら双方はGPRSコアネットワーク1020内に含まれる。GGSN1024は、インターネット／イントラネット1028に結合されたコンピュータに対するアクセス権を与える。このように、無線装置1002は、インターネット／イントラネット1028に結合されたコンピュータからデータを受信し、及び／又はそのコンピュータにデータを送信する。例えば、装置1002がカメラを備えていた場合、画像が、インターネット／イントラネット1028又は他の何れかの装置に結合されたコンピュータに転送される。BSC1012は、移動交換センタ／ビジタロケーションレジスタ（MSC/VLR）1034とも通信し、MSC/VLRは、ホームロケーションレジスタ（HLR）、認証センタ（AUC）及び装置識別レジスタ（EIR）1032と通信する。通常の実施形態の場合、MSC/VLR1034及びHLR、AUC及びEIR1032は、ネットワーク及びスイッチングサブシステム（NSS）1030内に設けられ、そのNSSがシステムのスケジューリングを行ってもよい。SGSN1022は、HLR、AUC及びEIR1032と直接的に通信してもよい。図示されているように、MSC/VLR1034は公衆交換電話網（PSTN）1040と通信し、PSTNは装置1002及び固定電話（land  telephone）1040間の通信を促す。異なるコンフィギュレーションを有する他のタイプの無線システムが、本開示による様々な形態のRBプリコーディング法を使用してもよい。
【００４７】
以上により、多入力多出力無線通信システムにおけるプリコーディングオーバーヘッドを削減するいくつもの技法が説明された。いくつもの様々な標準仕様にしたがう無線通信に本開示の技法が有利に使用されてよいことが、想定されている。
【００４８】
本願で使用されているように、ソフトウエアサブシステムは、１つ以上のオブジェクト、エージェント、スレッド、サブルーチン、個別ソフトウエアアプリケーション、２行以上のコード又はその他の適切なソフトウエア構造を含んでよく、そのソフトウエア構造等は、１つ以上の異なるプロセッサにおいて、或いは他の適切なソフトウエアアーキテクチャにおいて１つ以上の個別ソフトウエアアプリケーションの中で動作する。
【００４９】
理解されるように、本発明の好適実施例におけるプロセッサは、コンピュータプログラミングソフトウエア、ファームウエア又はハードウエアの何らかの組み合わせを使用して実現されてもよい。例えば、図６のプロセス600又は図８のプロセス800を実行するスケジューリングソフトウエアが、（図10のBSC1012又はBTS1014に設けられている）スケジューラに保存されてもよい。本発明をソフトウエアで実現する際の予備的なステップとして、好適実施例によるコンピュータプログラミングコード（ソフトウエアでもよいし、ファームウエアでもよい）は、一般的には、１つ以上のコンピュータ読取可能なストレージ媒体（例えば、固定（ハード）ドライブ、ディスケット、光ディスク、磁気テープ、半導体メモリ（例えば、リードオンリメモリ（ROM）、プログラマブルROM（PROM））等）に格納され、これにより本発明による製品となる。ストレージデバイスからコードを直接的に実行することにより、あるストレージデバイスから別のストレージデバイス（例えば、ハードディスク、ランダムアクセスメモリ（RAM）等）にコードをコピーすることにより、或いは遠方で実行するためにコードを送信することの何れかにより、コンピュータプログラミングコードを含む製品は使用される。本発明をなす方法は、本開示によるコードを含む１つ以上のマシン読取可能なストレージデバイスと、ストレージデバイスに含まれているコードを実行する適切な標準的なコンピュータハードウエアとを組み合わせることで使用される。本開示による技法を使用する装置は、１つ以上のコンピュータ及びストレージシステムを含み、そのシステムは、本開示によりコードされたコンピュータプログラムにネットワークをアクセスさせる又はそれを有する。
【００５０】
以上、本発明は特定の実施例を参照しながら説明されたが、特許請求の範囲に示されているような本発明の範囲から逸脱することなく、様々な修正例や変形例が可能である。例えば、開示されたプリコーディングの技法は、無線通信システム内の場所によらず、送信機及び受信機に広く一般的に適用可能である。したがって、明細書及び図面は、限定的な意味ではなく例示的に解釈されるべきであり、そのような変形例の全てが本発明の範囲内に包含されるように意図されている。特定の実施例に関して説明された利点、恩恵又は課題解決法の何れも、特許請求の範囲の全部又は一部に対する重要な、必須の又は本質的な特徴又は要素として解釈されるようには意図されていない。
【００５１】
特に断りがない限り、「第１」及び「第２」というような用語は、そのような用語が説明している要素同士を一般的に区別するのに使用されている。したがって、これらの用語は、そのような要素の時間的な又はその他の優先度を必ずしも示すようには意図されていない。
【図１】
2010537495.tif 000003
【図２】
2010537495.tif 000004
【図３】
2010537495.tif 000005
【図４】
2010537495.tif 000006
【図５】
2010537495.tif 000007
【図６】
2010537495.tif 000008
【図７】
2010537495.tif 000009
【図８】
2010537495.tif 000010
【図９】
2010537495.tif 000011
【図１０】
2010537495.tif 000012
【国際調査報告】
2010537495.tif 000013
2010537495.tif 000014